(57)【要約】【課題】Ｒ、Ｇ、Ｂの３つのＬＥＤ光源を同時に点灯して白色光画像を点灯し明るさを向上するＦＳＣ方式カラー液晶表示装置で画像表示色の経時変化を防止する。【解決手段】赤色、緑色、青色の異なる波長の３つのＬＥＤ光源を６０Ｈｚ以上の周波数で順次発光させ、ＬＥＤ光源の発光タイミングに同期して液晶に駆動電圧を印加するＦＳＣ方式カラー液晶表示装置で、赤色の画像、緑色の画像、青色の画像表示の次に、赤色、緑色、青色のＬＥＤ光源の輝度比率を変えて同時に発光した白色光画像を点灯して、白色光による画像を表示して明るさを向上するＦＳＣ方式カラー液晶表示装置において、白色光画像の前後に表示する画像を該画像に対応して発光するＬＥＤ光源とともに変更するＦＳＣ方式カラー液晶表示装置とする。【選択図】図１
2010102213.tif 000002
【特許請求の範囲】
【請求項１】
赤色、緑色、青色の異なる波長の３つのＬＥＤ光源を６０Ｈｚ以上の周波数で順次発光させ、ＬＥＤ光源の発光タイミングに同期して液晶に駆動電圧を印加するＦＳＣ方式カラー液晶表示装置で、赤色の画像、緑色の画像、青色の画像表示の次に、赤色、緑色、青色のＬＥＤ光源の輝度比率を変えて同時に発光した白色光画像を点灯して、白色光による画像を表示して明るさを向上するＦＳＣ方式カラー液晶表示装置において、白色光画像の前後に表示する画像を該画像に対応して発光するＬＥＤ光源とともに変更することを特徴とするＦＳＣ方式カラー液晶表示装置。
【請求項２】
前記ＦＳＣ方式カラー液晶表示装置はＬＥＤ光源の点灯順番（３タイプ）を記憶し、ＬＥＤ光源の点灯順番の変更は、点灯時間が平均化するように定期的に行うことを特徴とする請求項１記載のＦＳＣ方式カラー液晶表示装置。
【請求項３】
前記ＦＳＣ方式カラー液晶表示装置は、ＬＥＤ光源点灯積算カウンター、ＬＥＤ点灯パターン記憶手段、ＬＥＤ点灯パターン選択手段を有することを特徴とする請求項１または２記載のＦＳＣ方式カラー液晶表示装置。
【請求項４】
前記ＦＳＣ方式カラー液晶表示装置は、赤色の画像、緑色の画像、青色の画像表示を行う期間と、赤色、緑色、青色のＬＥＤ光源の輝度比率を変えて同時に発光した白色光画像を点灯する期間は概略同じであることを特徴とする請求項１乃至３のいずれか一つに記載のＦＳＣ方式カラー液晶表示装置。
【発明の詳細な説明】
【技術分野】
【０００１】
本発明はフィールドシーケンシャル（ＦＳＣ）方式のカラー液晶表示装置に関するものである。
【背景技術】
【０００２】
ＦＳＣ方式のカラー液晶表示装置では、赤色（以下Ｒともいう）、緑色（以下Ｇともいう）、青色（以下Ｂともいう）の異なる波長の３つのＬＥＤ光源を６０Ｈｚ以上の周波数で順次発光させ、ＬＥＤ光源の発光タイミングに同期して液晶に駆動電圧を印加することによってカラー表示を行うものがある。
【０００３】
しかし、ＬＥＤを光源にした場合、ランプなどの光源と比較して射出できる光量が少なく、表示される画像が暗くなる。特に、ＦＳＣ方式カラー液晶表示装置のように色順次表示を用いて画像を表示すると暗くなる。このような技術に対し、表示される画像を明るくする技術が開発されている。（特許文献１参照）
【０００４】
特許文献１によると、各色光による画像の表示の他に、白色光による画像の表示を追加することで、画像の明るさを向上させる。具体的には、３色のＬＥＤ光源の他に白色（以下Ｗともいう）のＬＥＤ光源を設け、従来のＲ→Ｇ→Ｂの表示サイクルをＲ→Ｇ→Ｂ→Ｗの表示サイクルに変えることで明るさを向上している。図２は従来技術によるＲ→Ｇ→Ｂ→Ｗの表示サイクルを示すタイミング図であり、図の順番で繰り返し画像が表示（ＬＥＤ光源が点灯）される。
【０００５】
さらに、白色のＬＥＤ光源は高価であるため、使用しているＲ、Ｇ、ＢのＬＥＤ光源の輝度比率を変えて（調整して）同時に発光し、白色光を得る技術が開発されている。図３は図２で示した表示サイクルと同様のＲ→Ｇ→Ｂ→Ｗの表示サイクルを示すタイミング図であるが、ＷはＲ、Ｇ、Ｂの光源がＷ用に調整されたＷ−Ｒ、Ｗ−Ｇ、Ｗ−Ｂの同時点灯による白色光である。図の順番で繰り返し画像が表示（ＬＥＤ光源が点灯）される。
【０００６】
【特許文献１】特開２００５−２３４０９７号公報
【発明の開示】
【発明が解決しようとする課題】
【０００７】
ＷをＲ、Ｇ、ＢのＷ用に調整されたＷ−Ｒ、Ｗ−Ｇ、Ｗ−Ｂの同時点灯による白色光で得ることはできるが、図３の順番でＬＥＤ光源が繰り返し点灯され続けると、Ｂの直後にＷ−Ｂが連続点灯されるのが継続するため、ＢのＬＥＤ光源が劣化し、同様にＷ−Ｒの直後にＲのＬＥＤ光源が点灯するため劣化する。このため、ＧのＬＥＤ光源に比べてＢのＬＥＤ光源とＲのＬＥＤ光源が早く劣化するため、画像表示色の経時変化が発生してしまう。
【課題を解決するための手段】
【０００８】
赤色、緑色、青色の異なる波長の３つのＬＥＤ光源を６０Ｈｚ以上の周波数で順次発光させ、ＬＥＤ光源の発光タイミングに同期して液晶に駆動電圧を印加するＦＳＣ方式カラー液晶表示装置で、赤色の画像、緑色の画像、青色の画像表示の次に、赤色、緑色、青色のＬＥＤ光源の輝度比率を変えて同時に発光した白色光画像を点灯して、白色光による画像を表示して明るさを向上するＦＳＣ方式カラー液晶表示装置において、白色光画像の前後に表示する画像を該画像に対応して発光するＬＥＤ光源とともに変更するＦＳＣ方式カラー液晶表示装置とする。
【０００９】
前記ＦＳＣ方式カラー液晶表示装置はＬＥＤ光源の点灯順番（３タイプ）を記憶し、ＬＥＤ光源の点灯順番の変更は、点灯時間が平均化するように定期的に行うＦＳＣ方式カラー液晶表示装置とする。
【００１０】
前記ＦＳＣ方式カラー液晶表示装置は、ＬＥＤ光源点灯積算カウンター、ＬＥＤ点灯パターン記憶手段、ＬＥＤ点灯パターン選択手段を有するＦＳＣ方式カラー液晶表示装置とする。
【００１１】
前記ＦＳＣ方式カラー液晶表示装置は、赤色の画像、緑色の画像、青色の画像表示を行う期間と、赤色、緑色、青色のＬＥＤ光源の輝度比率を変えて同時に発光した白色光画像を点灯する期間は概略同じであるＦＳＣ方式カラー液晶表示装置とする。
【発明の効果】
【００１２】
赤色の画像、緑色の画像、青色の画像表示の次に、赤色、緑色、青色のＬＥＤ光源の輝度比率を変えて同時に発光した白色光画像を点灯して、白色光による画像を表示して明るさを向上するＦＳＣ方式カラー液晶表示装置において、白色光画像の前後に表示する画像を該画像に対応して発光するＬＥＤ光源とともに変更することで、３色のＬＥＤ光源の点灯タイミングを平均化でき、画像表示色の経時変化を防止できる。
【００１３】
白色光画像を表示する期間を赤色の画像、緑色の画像、青色の画像表示を行う期間と概略同じにすることで、液晶の電圧印加による光学的応答速度を概略一定にすることができるため、表示特性を安定にできる。
【発明を実施するための最良の形態】
【００１４】
赤色、緑色、青色の異なる波長の３つのＬＥＤ光源を６０Ｈｚ以上の周波数で順次発光させ、ＬＥＤ光源の発光タイミングに同期して液晶に駆動電圧を印加するＦＳＣ方式カラー液晶表示装置で、赤色の画像、緑色の画像、青色の画像表示の次に、赤色、緑色、青色のＬＥＤ光源の輝度比率を変えて同時に発光した白色光画像を点灯して、白色光による画像を表示して明るさを向上するＦＳＣ方式カラー液晶表示装置において、白色光画像の前後に表示する画像を該画像に対応して発光するＬＥＤ光源とともに変更するＦＳＣ方式カラー液晶表示装置とする。
【実施例１】
【００１５】
図１は本発明によるＦＳＣ方式カラー液晶表示装置のＲ、Ｇ、Ｂ、Ｗ画像の表示（Ｒ、Ｇ、ＢのＬＥＤ光源の点灯）サイクルを示すタイミング図である。（１）Ｒ→Ｇ→Ｂ→Ｗの表示サイクルで所定回数表示した後、（２）Ｂ→Ｒ→Ｇ→Ｗの表示サイクルに変更し、所定回数表示した後、（３）Ｇ→Ｂ→Ｒ→Ｗの表示サイクルに変更する。これを繰り返すことで、３つのＬＥＤ光源の点灯タイミングを平均化でき、画像表示色の経時変化を防止できる。
【００１６】
図４は本発明のＦＳＣ方式カラー液晶表示装置の制御方法を説明するためのブロック図である。ＬＣＤに対する３つのＬＥＤ（Ｒ、Ｇ、Ｂ）は、ＬＥＤ点灯カウンターを介して点灯制御装置に接続され、点灯制御装置には点灯パターンメモリーが接続されている。
【００１７】
点灯パターンメモリーには、少なくとも３つの点灯パターン、即ち（１）Ｒ→Ｇ→Ｂ→Ｗ、（２）Ｂ→Ｒ→Ｇ→Ｗ、（３）Ｇ→Ｂ→Ｒ→Ｗが記憶されている。本発明には直接関係ないが、他にＲ→Ｇ→Ｂや単色、２色の組合せ等が必要であれば記憶させておけばよい。
【００１８】
点灯制御装置は点灯パターンメモリーを選択し、点灯パターン変更条件を決め、ＬＥＤ点灯カウンターを介してＬＥＤを点灯する。例えば、点灯パターンは（１）、（２）、（３）の表示サイクルの順番の繰り返しとし、（１）、（２）、（３）はそれぞれ１０００回点灯ごと（１）から（２）、（２）から（３）、（３）から（１）に変更する。
【００１９】
図１に示すように、実施例１では、白色光画像を表示する期間を赤色の画像、緑色の画像、青色の画像表示を行う期間と同じにしている。そのため、ＦＳＣ方式カラー液晶表示装置は、液晶の電圧印加による光学的応答速度を概略一定にすることができ、表示品質は、良好な均一性である。
【図面の簡単な説明】
【００２０】
【図１】本発明によるＦＳＣ方式カラー液晶表示装置のＲ、Ｇ、Ｂ、Ｗ画像の表示（Ｒ、Ｇ、ＢのＬＥＤ光源の点灯）サイクルを示すタイミング図
【図２】従来技術によるＲ→Ｇ→Ｂ→Ｗの表示サイクルを示すタイミング図
【図３】従来技術によるＲ→Ｇ→Ｂ→Ｗの表示サイクルを示すタイミング図
【図４】本発明のＦＳＣ方式カラー液晶表示装置の制御方法を説明するためのブロック図
【図１】
2010102213.tif 000003
【図２】
2010102213.tif 000004
【図３】
2010102213.tif 000005
【図４】
2010102213.tif 000006